(57)【要約】【課題】集電子が給電用電極から電解めっき用の電流を安定して取出すことができ、良好な品質の被めっき物を供給できる電解めっき装置を提供することを課題とする。【解決手段】長尺のめっき槽１１と、めっき槽１１の長手方向に沿って敷設された帯状の給電用電極１２と、被めっき物をめっき槽１１内の長手方向の一端側から他端側に向けて搬送する搬送キャリア１３と、下側に摺動面１４ａを有しており摺動面１４ａを給電用電極１２上へ押圧した状態で搬送キャリア１３に取着された集電子１４とを具備して成るめっき装置１０であって、集電子１４は、集電子１４における一端側および他端側のそれぞれに設けられた少なくとも一つのバネ１７を有する押圧機構１６によって給電用電極１２上へ押圧されるとともに、一端側の押圧機構１６の押圧力が、他端側の押圧機構１６の押圧力よりも大きい。【選択図】図２
2018053294.tif 000002
【特許請求の範囲】
【請求項１】
被めっき物を浸漬するための長尺のめっき槽と、前記めっき槽の長手方向に沿って敷設されており、前記被めっき物に電解めっき用の電流を供給するための帯状の給電用電極と、被めっき物を前記めっき槽内の長手方向の一端側から他端側に向けて搬送しながら移動する搬送キャリアと、
下側に前記給電用電極に沿った長尺状の摺動面を有しており該摺動面を前記給電用電極上へ押圧した状態で前記搬送キャリアに取着されるとともに、前記搬送キャリアの移動に伴って前記摺動面が前記給電用電極上を摺動することにより前記給電用電極から前記電解めっき用の電流を取り出す集電子と、を具備して成るめっき装置であって、
前記集電子は、該集電子における前記一端側および他端側のそれぞれに設けられた少なくとも一つのバネを有する押圧機構によって前記給電用電極上へ押圧されるとともに、前記一端側の押圧機構の押圧力が、前記他端側の押圧機構の押圧力よりも大きいことを特徴とするめっき装置。
【請求項２】
前記他端側の押圧機構は一つのバネを有しているとともに、前記一端側の押圧機構は二つのバネを有していることを特徴とする請求項１に記載のめっき装置。
【発明の詳細な説明】
【技術分野】
【０００１】
本発明は、電解めっき装置に関するものである。
【背景技術】
【０００２】
電解めっき技術は、例えば配線基板の配線形成用途として広く用いられている。
【０００３】
ここで、図３に従来の電解めっき装置３０を概略図で示す。従来の電解めっき装置３０においては、被めっき物を浸漬するための長尺のめっき槽３１と、めっき槽３１の長手方向に沿って敷設されており被めっき物に電解めっき用の電流を供給するための帯状の給電用電極３２と、被めっき物をめっき槽３１内の長手方向の一端側から他端側に向けて搬送しながら移動する搬送キャリア３３と、搬送キャリア３３に取着されており、搬送キャリア３３の移動に伴って給電用電極３２上を摺動することにより給電用電極３２から電解めっき用の電流を取り出す集電子３４とを備えている。
【０００４】
次に、図４に従来の電解めっき装置３０における集電子３４周辺部の概略拡大図を示す。ここで、図３と同一の箇所には、同じ符号を付して説明する。
集電子３４は、下側に摺動面３４ａを有しており、かかる摺動面３４ａを給電用電極３２上に押圧された状態で搬送キャリア３３に取着されている。集電子３４は、集電子３４の上面に垂直に固定され、圧縮状態のバネ３５を装着した２本の支柱３６の他端を、搬送キャリア３３に形成された貫通孔に挿入して搬送キャリア３３の上面でナット３７により固定することで取着されている。そして、搬送キャリア３３の移動に伴って、集電子３４が給電用電極３２上を摺動することによって給電用電極３２から電解めっき用の電流を取り出している。
【０００５】
しかしながら、集電子３４の摺動に伴い、給電用電極３２との間で大きな摩擦が加わる摺動方向側の摺動面３４ａに磨耗が生じている場合、搬送キャリア３３の移動に伴って集電子３４が給電用電極３２から受ける抗力によって前のめり状態となり、例えば給電用電極３２の継ぎ目等にひっかかってしまうことがある。
このため、集電子３４が給電用電極３２と十分に接触できず電解めっき用の電流を安定して取り出すことができなくなり被めっき物の品質に不具合をきたすという問題がある。
【先行技術文献】
【特許文献】
【０００６】
【特許文献１】特開平５−２０７６０８号公報
【発明の概要】
【発明が解決しようとする課題】
【０００７】
本発明の課題は、集電子に磨耗による傾きが生じた場合でも、集電子が給電用電極上を滑動して電解めっき用の電流を安定して取り出すことができ、良好な品質の被めっき物を供給できる電解めっき装置を提供することにある。
【課題を解決するための手段】
【０００８】
本発明に係る電解めっき装置は、被めっき物を浸漬するための長尺のめっき槽と、めっき槽の長手方向に沿って敷設されており、被めっき物に電解めっき用の電流を供給するための帯状の給電用電極と、被めっき物をめっき槽内の長手方向の一端側から他端側に向けて搬送しながら移動する搬送キャリアと、下側に給電用電極に沿った長尺状の摺動面を有しており摺動面を給電用電極上へ押圧した状態で搬送キャリアに取着されるとともに、搬送キャリアの移動に伴って摺動面が給電用電極上を摺動することにより給電用電極から電解めっき用の電流を取り出す集電子と、を具備して成るめっき装置であって、集電子は、集電子における一端側および他端側のそれぞれに設けられた少なくとも一つのバネを有する押圧機構によって給電用電極上へ押圧されるとともに、一端側の押圧機構の押圧力が、他端側の押圧機構の押圧力よりも大きいことを特徴とするものである。
【発明の効果】
【０００９】
本発明の電解めっき装置によれば、集電子における一端側に設けられた押圧機構の押圧力が、他端側に設けられた押圧機構の押圧力よりも大きくなるように設定されている。
このため、他端側の摺動面が摩耗しても、集電子の一端側を他端側よりも大きな力で給電用電極上に押圧することで、集電子が前傾することを抑制できる。これにより、集電子が給電用電極上を滑動して給電用電極から電解めっき用の電流を安定して取り出すことができ、その結果、良好な品質の被めっき物を供給することが可能な電解めっき装置を提供することができる。
【図面の簡単な説明】
【００１０】
【図１】図１は、本発明に係る電解めっき装置の実施形態の一例を示す概略図である。
【図２】図２は、図１に示す電解めっき装置の要部拡大図である。
【図３】図３は、従来の電解めっき装置を示す概略図である。
【図４】図４は、図３に示す電解めっき装置の要部拡大図である。
【発明を実施するための形態】
【００１１】
次に、本発明の電解めっき装置の実施形態の一例を図１および図２を基にして説明する。なお、図１と図２において同一の箇所には、同じ符号を付して説明する。
本例の電解めっき装置１０は、被めっき物を浸漬するための長尺のめっき槽１１と、めっき槽１１の長手方向に沿って敷設されており被めっき物に電解めっき用の電流を供給するための帯状の給電用電極１２と、被めっき物をめっき槽１１内の長手方向の一端側から他端側に向けて搬送しながら移動する搬送キャリア１３と、搬送キャリア１３に、給電用電極１２に押圧された状態で取着されており、搬送キャリア１３の移動に伴って給電用電極１２上を摺動することにより給電用電極１２から電解めっき用の電流を取り出す集電子１４と、を備えている。
【００１２】
めっき槽１１は、例えば塩化ビニルから成る複数の平板同士を溶接によって接合することで容器状に形成される。めっき槽１１内にはめっき液が入れられるとともに、例えばラックに装着された状態の被めっき物が浸漬される。さらに、めっき用電源の陰極（不図示）と接続された被めっき物と対向する位置に、めっき用電源の陽極と接続された電極（不図示）が配設される。
【００１３】
給電用電極１２は、例えば銅などの良導電性の金属から成り、前述のめっき槽１１に沿って敷設される。給電用電極１２は、めっき用電源の陰極と接続されている。給電用電極１２の上面は平滑に研磨されており、集電子１４が給電用電極１２上を摺動することで電解めっき用の電流を取り出している。
【００１４】
搬送キャリア１３は、めっき液による腐食に強いステンレスから成り、被めっき物をめっき槽１１内に浸漬するためのアーム構造１５を有するとともに、めっき槽１１内に浸漬された被めっき物を長手方向に搬送しながら移動するための移動装置を具備している。
【００１５】
集電子１４は、例えば銅などの良導電性の金属から成る。また、図２に示すように集電子１４は、下側に設けられた摺動面１４ａが給電用電極１２上に接触するとともに、集電子１４の摺動方向に対して前側である他端側、および後側である一端側に設けられた押圧機構１６を介して搬送キャリア１３に取着されている。押圧機構１６は、バネ１７と支柱１８とナット１９とを含んでいる。圧縮状態のバネ１７を装着した支柱１８の下端は、集電子１４の上面に垂直に固定されている。そして、支柱１８の上端は、搬送キャリア１３に形成された貫通孔に挿入されて搬送キャリア１３の上面でブッシュを介してナット１９により固定されている。
他端側の押圧機構１６は一つのバネを備えているのに対して、一端側の押圧機構１６は二つのバネを備えており、一端側の押圧機構１６が集電子１４を給電用電極１２へ押圧する力が、他端側の押圧機構１６が集電子１４を給電用電極１２へ押圧する力よりも大きく設定されている。集電子１４は、これらの押圧機構１６により給電用電極１２に向けて付勢されており、それにより搬送キャリア１３の移動に伴い給電用電極１２上を良好に密着しながら摺動して電解めっき用の電流を給電用電極１２から取り出す機能を有している。
なお本発明においては、他端側の押圧機構１６の押圧力よりも、一端側の押圧機構１６の押圧力の方が大きくなるように設定されている。このため、摺動方向に対して前側の摺動面１４ａが摩耗しても、集電子１４の一端側を他端側よりも大きな力で給電用電極１２上に押圧することで、集電子１４が前傾することを抑制できる。これにより、集電子１４が給電用電極１２上を滑動して給電用電極１２から電解めっき用の電流を安定して取り出すことが可能になり、その結果、良好な品質の被めっき物を供給することが可能な電解めっき装置を提供することができる。
【００１６】
なお、本発明は、上述の実施形態の一例に限定されるものではなく、本発明の要旨を逸脱しない範囲であれば種々の変更は可能である。例えば、本例では他端側の押圧機構１６は一つのバネ１７を備えているのに対して、一端側の押圧機構１６は二つのバネ１７を備えている例を示したが、両方の押圧機構１６がバネ１７を一つずつ備えており、かつ一端側の押圧機構１６に用いるバネ１７のバネ定数を、他端側の押圧機構１６に用いるバネ１７のバネ定数より大きくしても構わない。
【符号の説明】
【００１７】
１０      めっき装置
１１      めっき槽
１２      給電用電極
１３      搬送キャリア
１４      集電子
１６      押圧機構
１７      バネ
【図１】
2018053294.tif 000003
【図２】
2018053294.tif 000004
【図３】
2018053294.tif 000005
【図４】
2018053294.tif 000006